(57)【要約】【課題】浴室内の空気を天井面に沿うように吸い込み、換気および乾燥の効率を向上することを目的とする。【解決手段】下面に吸込開口２と吹出開口３を形成し内部にファンモータ８を設けた浴室４の天井５に取り付けられる本体７の吸込開口２と連通する吸込口１３を側壁１４に設け、吹出開口３と連通する吹出口１５を下面に形成したルーバー１６と、ルーバー１６の吸込口１３と本体７の吸込開口２間に設けられるフィルター１７とを設け、吸込口１３に吸い込まれる気流を天井５面に沿うように形成することにより、浴室４内の空気を略均一に吸い込み換気および乾燥の効率を向上することができることとなる。【選択図】  図１
2004340438.tif 000002
【特許請求の範囲】
【請求項１】
箱状で側面に排気口を有し、下面に吸込開口と吹出開口を形成し、内部にファンモータを設け、浴室の天井に本体取付フランジ部を介して取り付けられる本体と、この本体の吸込開口と連通する吸込口を側壁に設け、前記本体の吹出開口と対向して連通する吹出口を下面に形成し、前記本体に取り付けられるルーバーと、このルーバーの吸込口と前記本体の吸込開口間に形成される風胴内に設けられるフィルターとを備え、前記吸込口による吸い込み気流を天井面に沿うように形成した浴室換気乾燥機。
【請求項２】
ルーバーに設けられる吸込口の下流側で、本体取付フランジ部の位置より上流側にフィルターを設けた請求項１記載の浴室換気乾燥機。
【請求項３】
本体取付フランジ部と略面一にフィルターを設けた請求項１記載の浴室換気乾燥機。
【請求項４】
ルーバーに設けられる吸込口よりフィルターを着脱自在に形成した請求項１記載の浴室換気乾燥機。
【請求項５】
フィルターに把手を形成し、前記フィルターをルーバーに装着時に、前記把手が前記ルーバーの側壁を形成する構成とした請求項１記載の浴室換気乾燥機。
【請求項６】
本体の吹出開口と連通するルーバーに形成した吹出口を形成する吹出グリルが装着される取付開口を前記ルーバーに設け、前記取付開口の内壁面に設けた突起に係合する落下防止用の爪を前記吹出グリルに設けた請求項１記載の浴室換気乾燥機。
【発明の詳細な説明】
【０００１】
【発明の属する技術分野】
本発明は浴室の天井面に設置され、洗濯物を乾燥したり暖房や換気などを行う浴室換気乾燥機に関する。
【０００２】
【従来の技術】
従来、この種の浴室換気乾燥機の一例として、下面に吸込口を設け、吸込気流を略垂直方向とした乾燥換気装置が知られている（例えば、特許文献１参照）。以下、その乾燥換気装置について図１２を参照しながら説明する。
【０００３】
図１２に示すように、内部に送風機１０１を収納した本体１０２の下面開口に吸込口１０３と吹出口１０４を設け、吸込口１０３にはフィルター１０５を設け構成していた。
【０００４】
【特許文献１】
特開平９−１５５１４３号公報（［００１８］図２）
【０００５】
【発明が解決しようとする課題】
しかしながら、上記従来の構成では、吸込口１０３と吹出口１０４は、下面の同一面に設けられているため、吸込気流と吹出気流が混合しやすくなり、また、浴室の天井に取り付けたときには、下面側からのみ浴室内の空気が吸い込まれることとなり、浴室内の空気が浴室内の広範囲から略均一に吸い込まれない状態となるため浴室全体の換気および乾燥の効率が悪いという課題があった。
【０００６】
本発明は、上記従来の課題を解決するもので、浴室内の空気を天井面に沿うように略均一に吸い込み換気および乾燥の効率を向上することができる浴室換気乾燥機を提供することを目的とする。
【０００７】
【課題を解決するための手段】
上記従来の課題を解決するために、箱状で側面に排気口を有し、下面に吸込開口と吹出開口を形成し、内部にファンモータを設け、浴室の天井に本体取付フランジ部を介して取り付けられる本体と、この本体の吸込開口と連通する吸込口を側壁に設け、前記本体の吹出開口と対向して連通する吹出口を下面に形成し、前記本体に取り付けられるルーバーと、このルーバーの吸込口と前記本体の吸込開口間に形成される風胴内に設けられるフィルターとを備え、前記吸込口による吸い込み気流を天井面に沿うように形成したものである。
【０００８】
また、ルーバーに設けられる吸込口の下流側で、本体取付フランジ部の位置より上流側にフィルターを設けたものである。
【０００９】
また、本体取付フランジ部と略面一にフィルターを設けたものである。
【００１０】
また、ルーバーに設けられる吸込口よりフィルターを着脱自在に形成したものである。
【００１１】
また、フィルターに把手を形成し、前記フィルターをルーバーに装着時に前記把手が前記ルーバーの側壁を形成する構成としたものである。
【００１２】
また、本体の吹出開口と連通するルーバーに形成した吹出口を形成する吹出グリルが装着される取付開口を前記ルーバーに設け、前記取付開口の内壁面に設けた突起に係合する落下防止用の爪を前記吹出グリルに設けたものである。
【００１３】
【発明の実施の形態】
請求項１に記載の発明は、箱状で側面に排気口を有し、下面に吸込開口と吹出開口を形成し、内部にファンモータを設け、浴室の天井に本体取付フランジ部を介して取り付けられる本体を設け、本体の吸込開口と連通する吸込口を側壁に設け、本体の吹出開口と対向して連通する吹出口を下面に形成し、本体に取り付けられるルーバーを設け、ルーバーの吸込口と本体の吸込開口間にフィルターを設け、吸込口による吸い込み気流を天井面に沿うように形成したことにより、吸い込み抵抗が均一化され、浴室内の空気が浴室の広範囲から均一に吸い込まれることとなり、天井面は均一に乾燥され結露しにくくなり、換気および乾燥の効率を向上することができる。
【００１４】
請求項２に記載の発明は、ルーバーに設けられる吸込口の下流側で本体取付フランジ部の位置より上流側にフィルターを設けたことにより、フィルターの設置可能な空間を大きく形成することができることとなり、フィルターの面積を大きく形成することができ、圧損が低減でき、低騒音化を図ることができる。
【００１５】
請求項３に記載の発明は、本体取付フランジ部と略面一にフィルターを設けたことにより、フィルターが平面状に形成できるので加工および取付が容易で、取付後のフィルターの形状が安定し、ほこり捕集効率が低下しないこととなる。
【００１６】
請求項４に記載の発明は、ルーバーに設けられる吸込口よりフィルターを着脱自在に形成したことにより、ルーバーを取り付けた状態でフィルターの着脱が可能となりメンテナンス性の向上を図ることができ、また、高所に設けられるフィルターを小さなスペースで容易に着脱することができる。
【００１７】
請求項５に記載の発明は、フィルターに把手を形成し、前記フィルターをルーバーに装着時に、前記把手が前記ルーバーの側壁を形成する構成としたことにより、把手がルーバーの側壁部分に設けられるので、フィルターの着脱操作が容易になるとともに、把手が吸い込み気流の抵抗とならないため、換気性能が低下することがない。
【００１８】
請求項６に記載の発明は、吹出口を形成する吹出グリルが装着される取付開口をルーバーに設け、取付開口の内壁面に設けた突起に係合する落下防止用の爪を吹出グリルに設けたことにより、吹出グリルの取り外し時および部品破損時における落下防止ができ、また、突起位置の偏りは、突起と爪が係合したとき、吹出グリルが傾いた状態で保持されることとなり、吹出グリルが取り外し易くなるという効果がもたらされる。
【００１９】
以下、本発明の実施の形態について、図面を参照しながら説明する。
【００２０】
（実施の形態１）
図１〜図１１に示すように、箱状の本体７の側面に排気口１を設け、下面に吸込開口２と吹出開口３を形成し、下面周囲に浴槽４ａを設けた浴室４の天井５に取り付けられる本体取付フランジ部６を形成し、本体７の内部にファンモータ８と排気口１側の排気通路９の一部を開放したり全部を開放できる形状で吹出開口３側の吹出通路１０を切り替え開閉するダンパー１１および吹出通路１０に設けられるヒータ１２を設け、本体７の吸込開口２と連通する吸込口１３を側壁１４に設け、本体７の吹出開口３に対向して連通する吹出口１５を下面に形成し、本体７に取り付けられるルーバー１６と、ルーバー１６の吸込口１３と本体７の吸込開口２との間に形成される風胴内に設けられるフィルター１７とを設ける。
【００２１】
そしてフィルター１７はフィルター枠１８により形成され、フィルター枠１８の一端には、ルーバー１６の裏面に設けた突部１９に係合して保持される溝部２０を設け、他端には、フィルター１７をルーバー１６に着脱する把手２１を設け、フィルター１７をルーバー１６に装着時に把手２１がルーバー１６の側壁１４を形成するように設け、フィルター枠１８には、フィルター１７をルーバー１６の装着時に位置決めのガイドとなるガイド部２２を設け、フィルター１７はルーバー１６に設けられる吸込口１３の下流側で本体取付フランジ部６の位置より上流側において本体取付フランジ部６と略面一となるように設ける。
【００２２】
また、吹出口１５を形成する吹出グリル２３の装着される取付開口２４をルーバー１６に設け、取付開口２４の内壁面にエッジ２５および突起２８を設け、エッジ２５に係合する先端が傾斜した仮止め用の爪２６を吹出グリル２３に設け、排気口１には屋外と連通するダクト２７を設け浴室換気乾燥機を構成する。
【００２３】
上記構成において、換気運転時には、ダンパー１１を操作して排気通路９を開口し、吹出通路１０を閉鎖し、ヒータ１２は非通電の状態でファンモータ８を運転すると、浴室４内の空気が天井５面に沿い流れ吸込口１３に吸い込まれ、浴室４内に浮遊するほこりがフィルター１７に吸着されたのち、吸込開口２よりファンモータ８に吸い込まれ、ファンモータ８から排気通路９を通り排気口１を経てダクト２７を介して屋外に排気され換気されることとなる。
【００２４】
次に、浴室４に吊下げ衣類（図示せず）を温風乾燥するときにはダンパー１１を操作し、排気通路９の一部と吹出通路１０を開放して、ヒータ１２に通電し、ファンモータ８を運転すると、浴室４内の空気が吸込口１３より天井５面に沿い吸い込まれ、浴室４内に浮遊するほこりがフィルター１７に吸着されたのち、吸込開口２よりファンモータ８に吸い込まれ、ファンモータ８より吹出通路１０を通り、ヒータ１２により加熱された温風が吹出開口３よりルーバー１６に設けた吹出口１５を形成する吹出グリル２３より浴室４内に吹き出され、浴室４内に吊り下げた衣類に接触して衣類が乾燥される。
【００２５】
そして、このとき衣類から放散された水分を含む空気の一部は排気通路９を介して屋外に排気され循環される空気中に含まれる水分の量が徐々に少なくなり、乾燥が促進されることとなる。
【００２６】
また、フィルター１７を掃除するときには、ルーバー１６を本体５に取り付けた状態で、フィルター１７の把手２１をルーバー１６の側方より引き出してフィルター１７を取り外すことになる。フィルター枠１８が樹脂で形成されている場合には、上記フィルター１７を引き出すときにフィルター枠１８の弾性力を利用して斜め下方に引き出すことができるので、浴室４の壁がせまっていて側方への引き出しの作業スペースが小さい浴室換気乾燥機の設置条件であってもフィルター１７の取り出しを確実に行うことができる。
【００２７】
また、排気用ダクト２７の位置によっては吹出方向が洗い場側に向かない施工状態もある。そのときはルーバー１６を本体７に取り付ける前に、吹出グリル２３の爪２６をマイナスドライバー等により矢印方向に変形させ、吹出グリル２３のエッジ２５より解除し、他方に設けた爪２６とエッジ２５の保持、および他方に設けた爪２６と突起２８の保持により引っ掛かり、その後取付開口２４より吹出グリル２３をルーバー１６より取り外し、吹出グリル２３の風向を変更しルーバー１６に取り付けることができる。
【００２８】
このように本発明の実施の形態１の浴室換気乾燥機によれば、箱状で側面に排気口１を有し、下面に吸込開口２と吹出開口３を形成し、内部にファンモータ８を設け、浴室４の天井５に本体取付フランジ部６を介して取り付けられる本体７を設け、本体７の吸込開口２と連通する吸込口１３を側壁１４に設け、本体７の吹出開口３と対向して連通する吹出口１５を下面に形成し、本体７に取り付けられるルーバー１６を設け、ルーバー１６の吸込口１３と本体７の吸込開口２間にフィルター１７を設け、吸込口１３による吸い込み気流を天井５面に沿うように形成したことにより、吸い込み抵抗が均一化され、浴室４内の空気が広範囲から均一に吸い込まれることとなり、天井５面は均一に乾燥され結露しにくくなり換気および乾燥の効率を向上することができる。
【００２９】
また、ルーバー１６に設けられる吸込口１３の下流側で本体取付フランジ部６の位置より上流側にフィルター１７を設けたことによりフィルター１７の設置可能な空間を大きく形成することができることとなり、フィルター１７の面積を大きく形成することができ、圧損が低減でき、低騒音化を図ることができる。
【００３０】
また、本体取付フランジ部６と略面一にフィルター１７を設けたことにより、フィルター１７が平面状に形成できるので、加工および取付が容易で、取付後のフィルター１７の形状が安定し、ほこりの捕集効率が低下しないこととなる。
【００３１】
また、ルーバー１６に設けられる吸込口１３よりフィルター１７を着脱自在に形成したことにより、ルーバー１６を取り付けた状態でフィルター１７の着脱が可能となり、メンテナンス性の向上を図ることができ、また、高所に設けられるフィルター１７の着脱が可能となり、メンテナンス性の向上を図ることができ、また、高所に設けられるフィルター１７を小さなスペースで容易に着脱することができる。
【００３２】
また、フィルター１７に把手２１を形成し、フィルター１７をルーバー１６に装着時に、把手２１がルーバー１６の側壁１４を形成する構成としたことにより、把手２１がルーバー１６の側壁１４部分に設けられることにより、フィルター１７の着脱操作が容易となるとともに、把手２１が吸い込み気流の抵抗とならないため性能が低下することがない。
【００３３】
また、吹出口１５を形成する吹出グリル２３の装着される取付開口２４をルーバー１６に設け、取付開口２４の内壁面に設けた突起２８に係合する落下防止用の爪２６を吹出グリル２３に設けたことにより、吹出グリル２３の取り外し時および部品破損時における落下防止ができ、また、突起２８と爪２６が係合しているときは、吹出グリル２３が傾いた状態で保持されることとなり、吹出グリル２３が取り外し易くなる。
【００３４】
【発明の効果】
以上のように本発明の浴室換気乾燥機によれば、箱状で側面に排気口を有し、下面に吸込開口と吹出開口を形成し、内部にファンモータを設け、浴室の天井に本体取付フランジ部を介して取り付けられる本体と、この本体の吸込開口とを連通する吸込口を側壁に設け、前記本体の吹出開口と対向して連通する吹出口を下面に形成し、前記本体に取り付けられるルーバーと、このルーバーの吸込口と前記本体の吸込開口間に形成される風胴内に設けられるフィルターとを備え、前記吸込口による吸い込み気流を天井面に沿うように形成することにより、浴室内の空気を略均一に吸い込み換気、および乾燥を効率良く向上することができる。
【００３５】
また、ルーバーに設けられる吸込口の下流側で、本体取付フランジ部の位置より上流側にフィルターを設けたことにより、フィルターによる圧損を低くでき、低騒音化を図ることができる。
【００３６】
また、本体取付フランジ部と略面一にフィルターを設けたことにより、取付後のフィルターの形状が安定し、ほこりの捕集効率が低下するのを防止できる。
【００３７】
また、ルーバーに設けられる吸込口よりフィルターを着脱自在に形成したことにより、高所におけるフィルターの着脱が容易にできる。
【００３８】
また、フィルターに把手を形成し、前記フィルターをルーバーに装着時に、前記把手が前記ルーバーの側壁を形成することにより、フィルターの着脱操作が容易で吸込性能を損なわない把手を形成できる。
【００３９】
また、吹出口を形成する吹出グリルが装着される取付開口をルーバーに設け、前記取付開口の内壁面に設けた突起に係合する落下防止用の爪を前記吹出グリルに設けたことにより、吹出グリルが取り外し易くなる。
【図面の簡単な説明】
【図１】本発明の実施の形態１の浴室換気乾燥機の断面図
【図２】同浴室換気乾燥機を浴室に設置した状態を示す断面図
【図３】同浴室換気乾燥機の分解斜視図
【図４】同浴室換気乾燥機のフィルターの斜視図
【図５】同浴室換気乾燥機のルーバーからフィルターを着脱する状態を示す斜視図
【図６】同浴室換気乾燥機の吹出グリルが正常に取り付けられた状態を示す断面図
【図７】同浴室換気乾燥機のエッジと爪を示す部分拡大図
【図８】同浴室換気乾燥機のエッジと爪が係合する状態を示す部分拡大図
【図９】同浴室換気乾燥機の吹出グリルが仮止めされた状態を示す断面図
【図１０】同浴室換気乾燥機の吹出グリルが仮止めされた状態を示す部分拡大図
【図１１】同浴室換気乾燥機の吹出グリルの取り外し時の状態を示す部分拡大図
【図１２】従来の乾燥換気装置の構成を示す断面図
【符号の説明】
１    排気口
２    吸込開口
３    吹出開口
４    浴室
５    天井
６    本体取付フランジ部
７    本体
８    ファンモータ
１３  吸込口
１４  側壁
１５  吹出口
１６  ルーバー
１７  フィルター
２１  把手
２３  吹出グリル
２４  取付開口
２６  爪
２８  突起
【図１】
2004340438.tif 000003
【図２】
2004340438.tif 000004
【図３】
2004340438.tif 000005
【図４】
2004340438.tif 000006
【図５】
2004340438.tif 000007
【図６】
2004340438.tif 000008
【図７】
2004340438.tif 000009
【図８】
2004340438.tif 000010
【図９】
2004340438.tif 000011
【図１０】
2004340438.tif 000012
【図１１】
2004340438.tif 000013
【図１２】
2004340438.tif 000014